(57)【要約】【課題】  蒸れによる頭皮へのトラブルが少なく、簡単に装着することが出来て希望する増毛効果が得られるようなウィッグを提供する。【解決手段】  頭部をその両側から挟み付けることで頭部に固定される固定部材と、この固定部材から所要の方向に伸びる基部と、この基部から生える毛髪部とから成るウィッグとした。固定部材から頭に押し付けるようにするだけで簡単に装着出来て、所望の増毛が達成される。【選択図】図１
2008121174.tif 000002
【特許請求の範囲】
【請求項１】
頭部をその両側から挟み付けることで頭部に固定される固定部材と、この固定部材から所要の方向に伸びる基部と、この基部から生える毛髪部とから成ることを特徴とするウィッグ。
【請求項２】
前記固定部材が２以上設けられている請求項１に記載のウィッグ。
【請求項３】
前記２以上の固定部材を接続するためのジョイント部材を備えている請求項２に記載のウィッグ。
【請求項４】
前記ジョイント部材から出る基部を備えている請求項３に記載のウィッグ。
【請求項５】
前記ジョイント部材から生える毛髪部を備えており、且つ前記毛髪部をつむじ状に形成して成る請求項３に記載のウィッグ。
【請求項６】
前記固定部材に磁石が取り付けられている請求項１に記載のウィッグ。
【請求項７】
前記固定部材にトルマリンが取り付けられている請求項１に記載のウィッグ。
【請求項８】
前記基部に付いて前記毛髪部とは別に生える、自毛起立用の毛髪部を備えている請求項１に記載のウィッグ。
【請求項９】
前記基部から生える毛髪部を分け目状に形成して成る請求項１に記載のウィッグ。
【請求項１０】
前記基部が複数の基部に分岐している請求項１に記載のウィッグ。
【発明の詳細な説明】
【技術分野】
【０００１】  この発明は頭に押し付けるようにするだけで簡単に装着出来て、所望の増毛が達成されるようにしたウィッグに関する。
【背景技術】
【０００２】  薄毛や禿を隠してより若く見せたいとする根強い要望があり、各種の増毛法が盛んに行われている。例えば人造毛の根元を結んで毛根様のものを作ってこれを医師が頭皮に直接植え込む増毛法や、残っている毛髪の１本１本に別途用意した複数本の毛を結び付けるようにする増毛法が行われている。しかしながらこれ等は１本１本を植え込むような作業を必要とするため、多大の手間と費用とが掛かり、そのメンテナンスも大変であり、しかもこうして植えた毛髪は永久的に保たれるものではないと言う問題があった。【０００３】  これに対してウィッグを被ることで増毛する方法がある。ウィッグには例えば特開平１０−１９５７０６号の「増毛方法」で用いられているような、付け毛を植毛した柔軟なシート部材を頭に被り、シート部材に設けられた髪挟み止め具で残っている自毛に止めるものがある。あるいは特開２００２−１１５１１５号の「自毛活用型かつら及び自毛活用型かつらの製造方法」の図４及び図５で説明されているような、頭部に載せる円形の連結用リブに複数本の骨格様のリブが取り付けられていると共に、この骨格様のリブに多数の疑毛が取り付けられており、前記連結用リブに設けられたストッパーでを自毛に挟着するものがある。このようなウィッグであれば、たとえ装着に手間は掛かるにしても、クリニックに通ったりする労力や高額の費用を負担すると言うようなデメリットがない。【０００４】  なお前記シート部材や骨格様のリブの代わりに網状体を用い、この網状体から付け毛を生やしたものもあり、ブラシを用いて網状体から自毛を引き出し付け毛と混ぜ合わせ馴染ませる（自毛混用である）ようにして頭部に装着するタイプのウィッグも提供されている。
【特許文献１】特開平１０−１９５７０６号公報（図２〜図４）
【特許文献２】特開２００２−１１５１１５号公報（図４、図５）
【発明の開示】
【発明が解決しようとする課題】
【０００５】  しかしながら特開平１０−１９５７０６号のウィッグは髪挟み止め具で残っている自毛に止めるものであるため、使用中に全体がずれたり、シート部材の周縁部分が浮いたり大きく剥がれたり、蒸れて痒くなったりするなど装着感に大きな問題があった。また髪挟み止め具による装着方法であるために装着に手間が掛かる問題や、自毛の残り具合によっては髪挟み止め具が作用しにくかったりするなどの問題を抱えていた。【０００６】  また特開２００２−１１５１１５号の自毛活用型かつらに於いてもやはりストッパーでを自毛に挟着するものであるため、装着に手間が掛かる、髪挟み止め具が作用しにくい状況がある、シート部材が使用中にずれたり周縁部分が浮いたり剥がれたりするなどの問題があった。【０００７】  そこでこの発明は上述したような問題点を解決して、蒸れによる頭皮へのトラブルが少なく、簡単に装着することが出来て希望する増毛効果が得られるようなウィッグの提供を課題とする。
【課題を解決するための手段】
【０００８】  上記課題は、頭部をその両側から挟み付けることで頭部に固定される固定部材と、この固定部材から所要の方向に伸びる基部と、この基部から生える毛髪部とから成ることを特徴とするウィッグとすることにより達成される。【０００９】  前記固定部材からは基部が伸びており、この基部に毛髪部が設けられている。またこの基部は頭の上に当たる前記固定部材の中央付近の部位から放射状に設けるようにすると良い。例えば前記固定部材で頭部をその両側から挟み付けた場合には、頭の上に当たる前記固定部材の中央部から前後に向かって放射状に設けるのである。或いは中央部に限られず固定部材の全体から伸びるように基部を取り付けて成るものとすることも可能である。【００１０】  この発明はほぼ頭部の形状に湾曲して作られた弾力性や捲き付き性のある固定部材によって頭部を挟み付けるようにして装着するウィッグである。従って頭に押し付ける、或いは固定部材を開き加減に頭を挿入するようにするだけで頭部に簡単に固定することが出来、使用中にずれたり剥がれたりするなどの従来の問題を生ぜず、また上述した従来の髪挟み止め具に係る自毛の残り具合による問題はこの発明には有り得ないものとなっている。そして前記毛髪部を自毛と合わせてより自然に見えるようにすることも可能である。また固定部材から基部が仲びてあたかも柳の枝のような構造となっているため、蒸れによる問題が大幅に減少している。従来のウィッグに有り勝ちないわゆるトンスラ構造ではないため蒸れが少ないのである。また基部は後述するように個人個人の自毛の残存具合や希望するヘアースタイルに合わせることを可能にしている。なおこのウィッグをエクステンションとして構成することが出来る。【００１１】  この発明のウィッグは、頭皮の地膚の色に合わせて固定部材や基部に幾種類もの色目のものを用意しておき、使用者に合わせて選択出来るようにしておくことが望ましい。また毛髪部に付いても各種カラーを選択可能にしておくことが好ましい。或いは上記を注文生産方式により対応させることも可能である。また実際にウィッグを頭に着けた状態で、使用者の頭の状況や希望するヘアースタイルなどに応じて、基部や毛髪部を切り合わせるようにすれば良い。なお生え際処理が必要な場合にはこれまでの技術を併用すれば良い。【００１２】  この他、前記固定部材の裏面に粘着部を設けて頭皮や自毛に粘着させるようにすることも可能である。また前記基部の先端部に返し部を設けるなどして基部がずれにくくするなどの工夫も好ましい。また前記基部を設ける方向や密度などは個個人の毛髪の残り具合などで調節するようにすれば良い。或いはこれに付いても注文生産とすることが可能である。なお毛髪部でカバーする領域を増やしたい場合には、植える毛髪部の密度を高めたり、固定部を波状に形成してより多くの毛髪部を植え得るような構成を採用することも可能である。【００１３】  次にこの発明はさらに前記固定部材が２以上設けられているものとすることが出来る。例えば２つの固定部材を各々の中央部分でＸ字形状に固定して設けるのである。これによれば前記固定部材の数が多くなる分、頭部への固定がより強固なものとなる。またその分基部の数を多くすることも可能で、それだけ毛髪部のボリュームを高めたり、目的とする部位の毛髪部によるカバー効果をより高めることが可能となる。【００１４】  さらに前記２以上の固定部材を接続するためのジョイント部材を備えているものとしても良い。この構成によればジョイント部材に対して固定部材を取り付けることになるため、固定部材を取り付ける位置や固定部材の数を使用者の要求に合わせて提供することが出来るし、また固定部材を着脱自在として後から変更し得るようなウィッグを提供することが出来る。【００１５】  さらに前記ジョイント部材から出る基部を備えているものとしても良い。この場合ジョイント部材は固定部材である。固定部材の頭部を挟み付けるようにしてウィッグを装着する機能と、基部を設けるジョイント部材とで役割を分担したものである。【００１６】  また前記ジョイント部材から生える毛髪部を備えており、且つ前記毛髪部をつむじ状に形成して成るものとすることが出来る。すなわち前記ジョイント部材に毛髪部を設けるに当たり、つむじがそこにあるようにしてより自然な感じを出すことが可能である。なおジョイント部材をこの部分に設けた毛髪部によって隠すことが出来るので都合が良い。【００１７】  さて上述した請求項１のウィッグに於いて、前記固定部材に磁石が取り付けられているものとすることが出来る。磁石から出る磁力線が血流に作用することにより血行が促進される効果が知られており、肩や背中等のこりを解消する目的で盛んに用いられている。そこで磁力を頭皮の毛細血管に作用させる得るようにしたのである。なお前記基部の所要箇所にに磁石が取り付けられているものを提供することも可能である。【００１８】  または前記固定部材にトルマリンが取り付けられているものとすることが出来る。今日ではトルマリンの圧電性に起因するマイナスイオン発生作用が認められている。またトルマリンからは遠赤外線が放出されるため融雪システムにも利用されている。とりわけ遠赤外線効果が頭皮に作用することを利用するために前記固定部材にトルマリンを取り付けたのである。【００１９】  次に請求項１のウィッグに於いて、前記基部に付いて前記毛髪部とは別に生える自毛起立用の毛髪部を備えているウィッグとすると良い。この自毛起立用の毛髪部は前記毛髪部よりも短いものである。前記毛髪部とこの自毛起立用の毛髪部とは別々に基部に設けられていても、或いは一体に形成されていても良い。前者では例えばこの自毛起立用の毛髪部を前記毛髪部と同じ方向に生やしたり、前記基部の側面から生やしたり、下面から生やすなどである。また後者では例えば毛髪部の基部側の端部を突出させて自毛起立用の毛髪部とする構成としても良い。或いは毛髪部をその下端部に近い部分で折り返して、長い側を前記毛髪部とし、短い側をこの自毛起立用の毛髪部として、折り返し部から前記基部に植え込むようにして毛髪部と自毛起立用の毛髪部とを設けることが出来る。なお毛髪部とこの自毛起立用の毛髪部とは本数が異なっていても良い。この自毛起立用の毛髪部を前記基部の側面と下面との両方から生やすなどの構成も可能である。またこの自毛起立用の毛髪部は、頭皮に添う方向から前記毛髪部に添う方向まで位の間の任意角度で設けられていれば良い。また自毛起立用の毛髪部をＪ字形状やループ形状に形成しても良い。【００２０】  前記自毛起立用の毛髪部は自毛を起す作用がある。このことをここでは自毛起立と呼んでいる。自毛を起こし自毛と混ざるためである。これによって毛髪全体がより自然なものに見えるようになり、密着性能が増してこの発明のウィッグが微妙にずれることを抑制する作用がある。前記基部と基部との間を自然に見せる効果もある。この自毛を起こす作用を高めるために一の基部に対しこの自毛起立用の毛髪部の本数の方を前記毛髪部の本数よりも多くする構成も好ましい。【００２１】  また請求項１のウィッグに於いて、前記基部から生える毛髪部を分け目状に形成して成るものとしても良い。前記毛髪部で増毛しておき、基部の部分に分け目を付けようと言うものである。やはり毛髪全体をより自然なものに見えるようにすることに寄与する。なおこのような分け目状の毛髪部は固定部材に設ける構成も可能である。またこの分け目状の毛髪部を有する固定部材を、他の固定部材と交わるように設けても良い。【００２２】  さて請求項１のウィッグに於いて、前記基部が複数の基部に分岐しているものとすることが出来る。上述したように前記毛髪部でカバーする領域を増やしたい場合には基部に植える毛髪部の密度を高めたり、基部を波状に形成してより多くの毛髪部を植え得るような構成としたり、この項で言う基部を分岐させて各々の基部に毛髪部を植えた構成のものとすれば良い。
【発明の効果】
【００２３】  この発明のウィッグは、頭部をその両側から挟み付けることで頭部に固定される固定部材と、この固定部材から所要の方向に伸びる基部と、この基部から生える毛髪部とから成ることを特徴とするものであるため、頭に押し付けるようにするだけで手間が掛からずに簡単に装着出来て、所望の増毛効果が得られ、ずれにくくて取れにくく、蒸れが少なく、医師等の専門家が不要で、トータルのコストが安くつくと言う優れた効果を奏するものとなっている。
【発明を実施するための最良の形態】
【００２４】  以下ではこの発明の幾つかの実施形態を図面を用いながら詳細に説明するが、この発明はこれ等の実施形態に限定されることなく、この思想の範囲内に於いて数々のバリエーションを提供することが出来る。【００２５】  （第１実施形態）
図１及び図２を用いてこの発明の第１実施形態のウィッグを説明する。符合１は略Ｕ字形状に成型された弾力性を有する合成樹脂製の固定部材であり、図１で示すように頭部の両耳の方向に装着すると頭部を両側から挟着する性質を有するものである。この固定部材１のほぼ中央部分から頭部の前後方向に向けて極く薄く成型された合成樹脂製の基部２が複数個設けられており、この基部２に人造の毛髪である多数の毛髪部３が設けられている。【００２６】  この実施形態のウィッグを頭部に装着した状態を図２で表わすが、頭頂方向から見て固定部材１も基部２も頭部の形状に添った状態となっている。毛髪部３は無数に設けられているわけであるが、図面では煩雑となるのを避けるために省略によってそのほんの一部を描いた。このウィッグによれば頭に押し付けたり固定部材１を開き加減にして頭を挿入するだけで頭部に簡単に固定することが出来、使用中にずれたり剥がれたりするなどの従来の問題を生じにくい。そして前記毛髪部３を残っている自毛と合わせてより自然に見えるようにすることも可能である。また固定部材１から基部２が放射状に伸びているため蒸れによる問題が大幅に減少している。【００２７】  なおこのウィッグは予め使用者の頭皮の地膚の色に合わせた色目の固定部材１や基部２を専門家に決定してもらうと良い。また基部２を出す方向や本数や毛髪部３の色目などに付いても事前に決めておくと良い。そして最初の装着時に専門家によって基部２の長さを整えたり毛髪部３を切り揃えたりする。もちろん幾種類かの既成のものの中から好みのものを使用者が選択して着用することも可能である。なお装着に際し固定部材１の下に自毛が入り込むようであればこれをかき出すようにする。毛髪部３にブラシを入れて自毛に馴染ませるようにすると見た目が良い。【００２８】  なお固定部材１の表面に起毛を施しても良い。これには静電吹き付け加工などの技術が利用し得る。また固定部材１は上述した合成樹脂製に成るものばかりでなく、金属性の薄い板バネを内蔵する布製の固定部材を用いたものなども提供可能である。【００２９】  （第２実施形態）
次に図３を用いてこの実施形態のウィッグを説明する。これは２つの固定部材１０，１０をＸ字状にし、それ等の中央部分を円形のジョイント部材１１で止め合わせ、固定部材１０のほぼ中央部分から頭部の周囲方向に向けて極く薄く成型された合成樹脂製の基部２を複数個設け、この基部２に人造の毛髪である多数の毛髪部３を設けて成る。また固定部材１０やジョイント部材１１にも毛髪部３を設けている。固定部材１０を２つ用いることによって頭部のグリップ性能を高めるようにしている。なお毛髪部３を固定部材１０やジョイント部材１１にも設けてそれぞれを隠しやすいようにした。【００３０】  （第３実施形態）
上述した第２実施形態のウィッグではジョイント部材１１に毛髪部３を設けているが、この実施形態のジョイント部材１２ではつむじ３１が形成されるように毛髪部３０を整えている点に特徴を有する（図４）。なおつむじは固定部材上に形成することも可能である。【００３１】  （第４実施形態）
次に図５はこの実施形態のウィッグの固定部材１３部分の頭部装着状態を表わしたものである。この固定部材１３に磁石粒４とトルマリン粒とを交互に配設して成る。この固定部材１３の磁石粒４から出る磁力線が頭皮の毛細血管に作用する。またトルマリン粒から出る遠赤外線が頭皮に作用する。【００３２】  （第５実施形態）
次に図６を用いてこの実施形態のウィッグを説明する。図６は基部２０の部分を斜視図的模式図及び部分断面図にて表わしたものであるが、基部２０には挿通孔２１が開孔されておりこの挿通孔２１に毛髪部が植えられるのであるが、特に毛髪部が基部２０の挿通孔２１を貫通して上方に生える毛髪部３２と下方に突出する毛髪部３３とに分けられている点に特徴を有する。この下側の毛髪部３３は図示するように毛髪部３２の方向へカールされている。【００３３】  このような毛髪部３３の形成の仕方に各種あることは上述した通りであるが、この毛髪部３３は自毛起立用の毛髪部であって自毛を起す作用がある。これによって毛髪全体がより自然なものに見えるようになり、密着性が増してウィッグが微妙にずれることを抑制する作用がある。また前記基部２０の縁部を隠す効果もある。なおこのような毛髪部とは反対側に生える自毛起立用の毛髪部を備えている基部の構成は、この発明のウィッグ以外のウィッグにも適用可能であり、これに付いても上述したような優れた効果を奏する。【００３４】  （第６実施形態）
次に図７はこの実施形態のウィッグの基部２部分を表わしたものである。この基部２に生えるたくさんの毛髪部３は分け目３４を生ずるように左右に振り分けて設けられている。他の毛髪部で増毛しておき、この基部２の部分に分け目３４を付けて毛髪全体をより自然なものに見えるようにしようと言うものである。【００３５】  （第７実施形態）
最後に図８はこの実施形態のウィッグの基部２２部分を表わしたものである。この基部２２は先の方で二股の分岐部２３，２３に分岐しており、基部２２及び分岐部２３，２３に毛髪部３が設けられている。この実施形態の基部を使用することで毛髪部３がカバーし得る領域を増やすなどのコントロールが可能となるのである。なお股数を葉脈のように増やしたりしても良い。
【産業上の利用可能性】
【００３６】  この発明のウィッグでは固定部材や基部や毛髪部の素材に限定はない。例えば固定部材を弾力性のある板バネで構成する以外にも、２枚の合成樹脂ベルトの一方を緊張させるようにして両者を重合し、捲き戻ろうとする性質を付与してこれを固定部材に使用することが出来る。何れにせよ頭部をその両側から（両側側からとは限られない）挟み付けることで頭部に固定されるようなものであればどのような形態のものであっても良い。なおこの発明のウィッグはエクステンションとしての構成が可能である。
【図面の簡単な説明】
【００３７】
【図１】  第１実施形態のウィッグを使用している状態を表わす説明図である。
【図２】  同実施形態の模式図である。
【図３】  第２実施形態のウィッグの模式図である。
【図４】  第３実施形態のジョイント部材の模式図である。
【図５】  第４実施形態の固定部材の模式図である。
【図６】  第５実施形態の毛髪部の模式図及び部分断面図である。
【図７】  第６実施形態の基部の模式図である。
【図８】  第７実施形態の基部の模式図である。
【符号の説明】
【００３８】  １    固定部材
１０  固定部材
１１  ジョイント部材
１２  ジョイント部材
１３  固定部材
２    基部
２０  基部
２１  挿通孔
２２  基部
２３  分岐部
３    毛髪部
３０  毛髪部
３１  つむじ
３２  毛髪部
３３  毛髪部
３４  分け目
４    磁石粒
５    トルマリン粒
【図１】
2008121174.tif 000003
【図２】
2008121174.tif 000004
【図３】
2008121174.tif 000005
【図４】
2008121174.tif 000006
【図５】
2008121174.tif 000007
【図６】
2008121174.tif 000008
【図７】
2008121174.tif 000009
【図８】
2008121174.tif 000010